(57)【特許請求の範囲】
【請求項１】
内部に電子回路を収納する空間を有する蓋付きケースには、
内部の電子回路と外部の電路とを接続分離自在に接続するための接続部を備えさせ、
その接続部は、ケースの下側の外面に対して、ケース内部の電子回路に連なる接続具が下方に向けて、かつ、上記ケースおよびケースの蓋の下端よりも下方に大きく突出すると共に、その接続具の周囲には、ケースの下側の外面から下方に向けて、かつ、上記接続具の下端よりも短く突出させた円筒状の基部材を固定的に備えさせ、
一方、電路側にあっては、電路に連なる接続具と、それを取り囲むように弾力性のある材料で形成されている上方開口の外被部材とを備えさせ、
上記の両接続具を接続した状態では上記の基部材の外周に上記外被部材の先部の内周面が相互に水密的に結合して上記両接続具を包囲状に保護するようにしてある電子機器ケースにおける接続部の構造において、
上記電路側の接続具は、上記外被部材の内側にあって外被部材で包囲一体化される状態で備えさせてあり、上記電路側の接続具における外部導体の軸心方向の長さは、外被部材の開口部の上端よりも低くなるように短く形成してあり、
更に、上記の電子機器ケースにおける蓋の側には、外被部材における外周部の係合部に係合させるための係合部を設けると共に、上記電路側の外被部材の外周部には、蓋の側の係合部に対応させる係合部を設け、
上記ケースの下側の外面に、下方に向けて突出させた接続具と、電路に連なる接続具との両接続具を接続した状態で、かつ、上記の基部材の外周に、上記外被部材の上方内面を水密的に結合させた状態において閉蓋すれば、蓋の側の係合部と上記電路側の外被部材の係合部とが係合して上記電路側の外被部材と、外被部材の内側に備えさせた上記電路に連なる接続具との脱落を防止するようにしてある
ことを特徴とする電子機器ケースにおける接続部の構造。
【発明の詳細な説明】
【０００１】
【発明の属する技術分野】
本願発明は、内部に電子回路を収納する空間を有するケースに対して、内部の電子回路と外部の電路とを接続分離自在に接続するための接続部を備える電子機器ケースにおける接続部に関する。
【０００２】
【従来の技術】
従来より、内部に電子回路を収納する空間を有するケースに対して、内部の電子回路と外部の電路とを接続分離自在に接続するための接続部を備えさせ、その接続部は、ケース側外面に対してケース内部の電子回路に連なる接続具としての接栓座と、それの周囲に位置する基部材としての柱状部材とを固定的に備えさせ、電路側には電路に連なる接続具としてのコネクターと、それを取り囲む外被部材としての防水キヤップとを備えさせ、上記の両接続具を接続した状態では上記の基部材と外被部材が相互に結合して上記両接続具を包囲状に保護するようにしてある電子機器ケースにおける接続部の構造は知られている（例えば実開昭６０ー５０４６６号公報参照）。
【０００３】
【発明が解決しようとする課題】
これらの従来技術ではケース側と電路側の両接続具を接続した状態でケース側の柱状部材に対して電路側の防水キヤップの上端を弾力的に被せ付けると極めて簡単に接続作業を終えることができるのであるが上記防水キヤップは極めて抜脱し易く、保全に難がある。
【０００４】
しかし柱状部材に対して電路側の防水キヤップの上端を機械的に接続するように、例えば柱状部材に段部を形成したり、或いは対応合着面に雄雌のねじ部を形成したとすると、その構成は複雑で、高価になると共に接続作業が煩雑になる問題点がある。
【０００５】
本願の目的は、ケース側外面に備えさせた接続具と、電路に連なる接続具との両接続具を接続した状態で、両接続具を包囲状に保護する為の外被部材の結合が極めて簡単であっても上記の外被部材を結合させた状態において閉蓋すれば、蓋の側の係合部と上記電路側の外被部材の係合部とが係合して上記電路側の外被部材が脱落することを防止するようにし電子機器ケースにおける接続部の構造を提供することにある。
他の目的及び利点は図面及びそれに関連した以下の説明により容易に明らかになるであろう。
【０００６】
【課題を解決するための手段】
本発明の電子機器ケースにおける接続部の構造は 、内部に電子回路を収納する空間を有する蓋付きケースには、内部の電子回路と外部の電路とを接続分離自在に接続するための接続部を備えさせ、
その接続部は、ケースの下側の外面に対して、ケース内部の電子回路に連なる接続具が下方に向けて、かつ、上記ケースおよびケースの蓋の下端よりも下方に大きく突出すると共に、その接続具の周囲には、ケースの下側の外面から下方に向けて、かつ、上記接続具の下端よりも短く突出させた円筒状の基部材を固定的に備えさせ、
一方、電路側にあっては、電路に連なる接続具と、それを取り囲むように弾力性のある材料で形成されている上方開口の外被部材とを備えさせ、
上記の両接続具を接続した状態では上記の基部材の外周に上記外被部材の先部の内周面が相互に水密的に結合して上記両接続具を包囲状に保護するようにしてある電子機器ケースにおける接続部の構造において、
上記電路側の接続具は、上記外被部材の内側にあって外被部材で包囲一体化される状態で備えさせてあり、上記電路側の接続具における外部導体の軸心方向の長さは、外被部材の開口部の上端よりも低くなるように短く形成してあり、
更に、上記の電子機器ケースにおける蓋の側には、外被部材における外周部の係合部に係合させるための係合部を設けると共に、上記電路側の外被部材の外周部には、蓋の側の係合部に対応させる係合部を設け、
上記ケースの下側の外面に、下方に向けて突出させた接続具と、電路に連なる接続具との両接続具を接続した状態で、かつ、上記の基部材の外周に、上記外被部材の上方内面を水密的に結合させた状態において閉蓋すれば、蓋の側の係合部と上記電路側の外被部材の係合部とが係合して上記電路側の外被部材と、外被部材の内側に備えさせた上記電路に連なる接続具との脱落を防止するようにしたものである。
【０００７】
【発明の実施の形態】
以下、本発明の一実施形態を図面を参照して説明する。図１は、本発明の電子機器ケース（１ｂ、２ｂ）における接続部を備える一実施形態に係る電源部分離型ブースタ装置を分離して使用する場合の構成図であり、図２は図１に示す電源部分離型ブースタ装置を一体に接合して使用する場合の構成図である。
図１、図２において、通常知られている構成の電子回路としての増幅回路１ａを内蔵する増幅部１と、通常知られている構成の電源回路２ａを内蔵する電源部２とは、図４に示す如く接合、分離可能な構造となっている。増幅部のケースである筺体１ｂは合成樹脂材で塑性形成されており、これには、図２に表われているようにケース１ｂの下側から下方に向けて突出する状態の信号入力用端子（接続具）１１と、信号出力用端子兼電源入力用端子（接続具）１２が設けられている。電源部のケースである筺体２ｂにも、図２に表われているようにケース２ｂの下側から下方に向けて突出する状態の電源部の信号入力端子兼電源出力端子（接続具）１５と、電源部の信号出力端子（接続具）１６とが設けられている。
これらの端子１１、１２、１５、１６としては、例えば後述のようにＦ型コネクターが用いられており、図３に表われているようにケース１ｂ、２ｂ及びそれらの蓋３６、４０の夫々の下端よりも下側に大きく突出状態で表われるようになる。なお、図２に表われている端子１２と、端子１５は、夫々、図２、図３、図４、図６、図７（A）、図８等に表われているプラグ５e、５fの外被部材４５で、後述のように包囲されている。従って、外被部材４５で覆われている符号数字５０に係る上記の接続具（端子１２、１５等）は、図７（A）の場合についても同様であるが、内部に存在していても外部からは隠れて見えない。
更に、増幅部１と電源部２には、増幅部１と電源部２とを機構的に当接する面２６、２６と、掛合手段２０とが設けられている。
【０００８】
増幅部において、増幅回路１ａは第１内部配線９でもって、増幅部の信号入力端子（例えばＦ型コネクター）１１と信号出力用端子兼電源入力用端子１２（例えばＦ型コネクター）に接続されている。電源カットコンデンサ７は第１内部配線９に介設されている。電力供給回路にはチヨークコイル８が介設されている。３はアンテナを示し、電路としてのケーブル4の先端に付したＦ型プラグ４ａを介して増幅部１の接続部である信号入力端子１１に接続してある。
次に電源部2にあっては、電源部の信号入力端子兼電源出力端子１５（周知の接続具を備える例えばＦ型コネクター）と、電源部の信号出力端子１６（例えばＦ型コネクター）とを第２内部配線17を用いて接続してある。19は電源カットコンデンサーを示し、18はチョークコイルを示す。前記信号出力用端子兼電源入力用端子１２と電源部の信号入力端子兼電源出力端子１５とは図１に示す如く両端にＦ型プラグ５ａ，５ｂが付されたケーブル5、または図２に示す如くケーブル5を短小にしたような電路であるところの渡り線５ｄ（例えばＦ型防水ジョイントプラグ５ｅ、５ｆを備える）でもって接続され、接続部５０を構成する。6は第２内部配線17から出力されるテレビ信号を次段に伝達するために電源部の信号出力端子１６に対応するＦ型プラグ６ａが付されたケーブルを示す。１４は電源回路２ａに連なる電源ＡＣコードを示す。
【０００９】
次に増幅部の筺体１ｂと電源部の筺体２ｂとを例えば屋内において図2〜図６に示す如き状態で結合して使用する場合について説明する。
掛合手段２０は、一対の掛合具20ａ、20ｂでもって構成される。掛合具20ａにおいて、21は閂22を進退自在に保持するためのガイド。24は筺体に閂22を固着する為の止ねじ。25は嵌合溝を示す。掛合具20ｂにおける27は閂22のガイドをする部材を示し、28は閂22固定用の固定ねじを示す。
上記閂2２は、増幅部の筺体１ｂと電源部の筺体２ｂとを図３，４に示す如く合着させた状態において、筺体１ｂ側にあった閂２２を図4に示す位置に前進させ、嵌合溝25に嵌合させた固定ねじ28を締め付けることにより、両者の一体化を行う。
【００１０】
増幅部の筺体１ｂの裏に突設させた脚31は、壁面に、又は棚の上に増幅部の筺体１ｂを当て付けたり乗せた場合、裏面に空間を形成するためのものである。脚31の中央には透孔があり、壁面用のネジを用いて相手方（例えば壁面）に固定できるようにしてある。
３１ａ，３１ｂは建造物取付具で、増幅部の筺体１ｂの裏壁から突設させた張り出し部と裏面を中空にした係合部を示し、逆Ｖ字状の引っ掛凹部３１ｃに建造物に取付られた止ねじの頭を引っ掛けて増幅部の筺体１ｂを建造物に固定するようにしてもよい。
電源部の筺体２ｂを単独で壁面に取り付ける場合は、閂２２を図４の一点鎖線位置において利用する。これは閂22不用どき（増幅部の筺体１ｂと電源部の筺体２ｂとを分離して利用するとき）には閂22における止ねじ２４を抜き、閂の位置を図４の如く変更するとこれが壁面取り付け用の突片になる。
前記増幅部の筺体１ｂ及び電源部の筺体２ｂにはそれぞれ図３〜図７に示す如く増幅部の筺体１ｂにおける解放面１ｄ及び電源部の筺体２ｂの開放面を塞ぐための蓋として合成樹脂材で塑性形成された防水用カバー３６と、埃除け用のカバー４０が開閉自在に装着される。
【００１１】
カバー３６は前面３６ｅと左右側面３６ｆと、上面３６ｇを備え、枢支ピン３７で図７に示す如く左右側面３６ｆを枢支して図７（Ａ）に一点鎖線で示す位置へ持上げ、開放面１ｄを解放可能にしてある。３８ａ，３８ｂは図７（Ａ）に示す解放状態を保持するための一対の弾力性を備える係止部３８を示す。図７（Ｂ）の３６ａ，３６ｂはカバー３６の閉鎖状態を下方位置で保持するための一対の弾力性を備える掛合部を示し、３６ｃはストッパーを示す。
【００１２】
図８における渡り線５ｄは図２に示す如く用いられるもので、両側に同じ構造で、かつＦ型プラグ５ａ，５ｂに対応するＦ型防水ジョイントプラグ５ｅ，５ｆを備える。この渡り線５ｄは 、上記増幅部１のケース１ｂと、電源部２のケース２ｂとを図２に示すように接合させた状態において、前記増幅部１のケース１ｂの下端より下方に大きく突出する状態の信号出力兼電源入力端子１２と、前記電源部のケース２ｂの下端より下方に大きく突出する状態の信号入力端子兼電源出力端子１５とを隣接して接近して並ばせた状態で、上記増幅部１のケース１ｂと、電源部２におけるケース２ｂとの両端子１２，１５とを至近距離で、かつ外観的に目立たないように両ケース１ｂ，２ｂに密着して電気的に接続できるようにしたものである。
図８に示されるプラグ５ｅ，５ｆにおいて、４５は弾力性のある外被部材としての防水キャップで、ケース側の基部材５１ｂに対し、図示の位置関係でもって水密的に結合させるものである。４５ａは水抜き孔を示す。
４６は外被部材４５の内側に一体化させた状態で備えさせた外部導体で、その軸心方向長さは図示のように外被部材４５の上端よりも短くなる（上端が外被部材４５の上端より奥に位置する）ように構成されており、４７は外部導体の内側に一体化した状態で備えさせてある中心導体で、これらにより電気的接続具５ｆを構成する。４８はシールドカバー、４９はＦ型防水ジョイントプラグ５ｅ，５ｆを接続するための電路としてのケーブルを例示する。このケーブル４９は折曲げ自在で、図８に示す如く直線状に展開した状態でも、図６の如く約６０度のＶ字型に曲げそのＶ字型の底部に指が入る状態にしてでも利用できる。
【００１３】
図２、図４、図６、図７に表われている５０は、接続部を示し、例えば図８に表われているコネクター15と、接続具（プラグ）５ｆから成る接離自在の接続部である。これにおいて、５０ｂは、接続具５ｆ側の防水キャップ４５の周囲に付設した突舌状の係合部で、外被部材（キャップ）４５と一体材で、又は別材を一体化状に付設して形成したものである。これの形成位置は、蓋３６を図７（Ａ）の如く閉じた状態で、蓋側に設けた突片状の係合部５０ａが上記の基部材と外被部材４５とを相互に結合させた状態において、上記の突舌片５０ｂに係合し、キャップ４５が図７（Ａ）の装着位置から抜脱しないようにできる位置に形成する。なお係合部の形状は前述の抜脱防止作用が得られる構成であればよく、例えば図７（ｃ）に示す如く、キャップ４５の側に任意形状の凹部５０ｄを形成し、蓋３６における本体の一部分を膨出（突出させ）、その部分５０ｃが、これに掛合するように構成しても外被部材４５の抜脱は防止できる。
【００１４】
図８に示されるコネクター１５と、接続具（プラグ）５ｆを備える接続部におけるコネクター１５側においては、ケース１ｂ内の回路に連なる接続具としてのF型接栓５１ａ（詳細図省略）と、それの周囲に位置する円柱状の基部材（ケースと一体材）５１ｂとから成る。これはケース１ｂの外面に対して、図８に表われるように設けられている。基部材５１ｂの周壁面５１cには上記キャップ４５の内周面４５ｃを弾力的に重合状に結合させる。すると図７の状態になり、雨水の内部浸入を防止する。
【００１５】
上述した構成の電源部分離型ブースタは図１に示す様に分離して使用した場合には、電源部２の電源回路２ａの出力電力は、チョークコイル１８を通して電源接続点２ｃに供給されるが、電源カットコンデンサ１９により、電気端子１６からテレビ受像機側には流れない。電源接続点2cに供給された電力は、配線17、電気接続部15、電路５と流れ、接続部12から増幅回路1aに供給される。
【００１６】
アンテナ３で受信された信号は、接続部１１から増幅部１内に入り、増幅回路１ａにより増幅された後、前述した経路とは逆の経路を辿って、電源接続点２ｃに至る。しかし、この信号は高周波信号であるためチョークコイル１８には流れず、電源カットコンデンサ１９を通り、電気端子１６からテレビ受像機に入力される。
【００１７】
電源部分離型ブースタ装置を図２に示すように一体にして使用した場合には、図１、２に示す様に、電路５が電路としての渡り線５ｄに変わるだけで、電気的にも、高周波的にも変化はなく、図1の場合とは、外観が変わるだけで同様の電気的機能が得られる。
【００１８】
【発明の効果】
以上のように本願発明にあっては、図８に表われているようにケース１ｂの下側の外面に突出状態で備えさせた接続具５１ａであって、ケース１ｂ内の回路に連なる接続具５１ａと、電路４９に連なる接続具５ｆとの両接続具（５１ａ、５ｆ）を、図８から理解できるように両者の先部を矢印方向に近づけて接続し、更に両接続具（５１ａ、５ｆ）を包囲状に保護する為の外被部材４５の先部の外周を基部材５１ｂの外周に水密的に結合する為に、これらを単純に差し込むなど極めて簡単に接続を行うものであっても、上記ケース１ｂの下側の外面から下方に向けて突出状態で備えさせた接続具５１ａに付いては勿論のこと、上記接続具５１ａに接続される「電路側の接続具５ｆ」との両接続具（５１ａ、５ｆ）の外周も、共に上記の外被部材４５で図７に表われているように包囲されて防水される効果がある。
その上、上記の外被部材４５を、ケース１ｂ側の基部材５１ｂに図７のように結合させた状態において図７のように閉蓋すれば、蓋３６の側の係合部５０ａは、上記ケース１ｂの下側に直接設けてある基部材５１ｂの外周に対して水密的に結合するようにしてある外被部材４５の係合部５０ｂに係合して上記電路側の外被部材４５は勿論のこと、外被部材４５の内側に備えさせた上記「電路に連なる接続具５ｆ」の脱落をも防止する効果がある。
【図面の簡単な説明】
【図１】  実施形態に係る電源部分離型ブースタ装置を分離して使用する場合の接続図。
【図２】  図１に示す電源部分離型ブースタ装置を一体型にして使用する場合の接続図。
【図３】  電源部分離型ブースタ装置を一体型にして使用する場合の正面図。
【図４】  図３の背面図。
【図５】  （Ａ）（Ｂ）は図３の左右側面図。
【図６】  図３の底面図。
【図７】  （Ａ）の図は、図３のVIIＡ方向から見た破断図で、ケース１ｂと、蓋３６と、係合部５０ａ、５０ｂと、コネクター１５とプラグ５ｆで構成される接続部５０と、外被部材４５との関係を表わす破断図。
（Ｂ）の図は、図３のVIIＢ位置切断部の端面を表している図で、カバー36の閉鎖状態を下方位置で保持するための一対の弾力性を備える掛合部36a,36bと、ストッパー36cとの端面を表す図。
（C）の図は、係合部の異なる例を示す一部破断図。
【図８】  電路とケース内の回路とを接続するための接続部を示す一部破断図で、電路４９に接続されているプラグ５ｆとケース１ｂ側のコネクター１５における接続具５１ａ、及び電路４９側の外被部材４５と基部材５１ｂとの矢印方向への接合を夫々表わす一部破断図。
【符号の説明】
１・・・増幅部、１ｂ・・・ケース、１ｄ・・・開放面、２・・・電源部、２ａ・・・電源回路、３・・・アンテナ、４，５，６・・・ケーブル（電路）、５ｄ・・・渡り線、５ｆ・・・接続具、７・・・  電源カットコンデンサ、８ ・・・  電力供給回路（チョークコイル）、９・・・  第１内部配線、１１・・・増幅部の信号入力端子、１２・・・増幅部の信号出力兼電源入力端子、１４・・・ＡＣコード、１５・・・電源部の信号入力端子兼電源出力端子、１６・・・電源部の信号出力端子、１７・・・   第２内部配線、１８・・・  チョークコイル、１９・・・   電源カットコンデンサ、２０ ・・・掛合手段、２１・・・ガイド、２２・・・かんぬき、２４・・・止めねじ、２５・・・嵌合溝、２６・・・対向部、２７・・・ガイド、２８・・・固定ねじ、３１・・・脚、３４・・・ダルマ孔、３６、４０・・・蓋、３７・・・枢支ピン、３８・・・係止部、４５・・・外被部材、５０・・・接続部、５０a、５０b・・・係合部、４６、４７、５１a・・・接続具、 ５１ｂ・・・基部材。
【図１】
0004394235.tif 000002
【図２】
0004394235.tif 000003
【図３】
0004394235.tif 000004
【図４】
0004394235.tif 000005
【図５】
0004394235.tif 000006
【図６】
0004394235.tif 000007
【図７】
0004394235.tif 000008
【図８】
0004394235.tif 000009